(57)【要約】      （修正有）【課題】スーツケースに収納して持ち運びが可能であり、任意の場所で組み立てて茶室を設置することができる組立式茶室セットを提供する。【解決手段】組立式茶室セット１１は、敷居用柱を接続可能に複数本に分割してスーツケースに収納できる長さに形成し、茶室の設置時に接続して組み立てる敷居用柱一式１４と、角部用柱を接続可能に複数本に分割してスーツケースに収納できる長さに形成し、茶室の設置時に接続して組み立てる角部用柱一式１６と、鴨居用柱を接続可能に複数本に分割してスーツケースに収納できる長さに形成し、茶室の設置時に接続して組み立てる鴨居用柱一式１８と、組み立てた鴨居用柱に取り付ける折畳み式の簾壁１９と、組み立てた鴨居用柱に取り付ける折畳み式の垂れ壁２０と、茶室の床面に敷き詰める複数枚の敷物２２と、スーツケースに収納できる大きさの茶室道具とからなる。【選択図】図１
2019049164.tif 000002
【特許請求の範囲】
【請求項１】
スーツケースに収納して持ち運びが可能であり、任意の場所で組み立てて茶室を設置することができる組立式茶室セットであって、
該組立式茶室セットは、
敷居用柱を接続可能に複数本に分割して前記スーツケースに収納できる長さに形成し、前記茶室の設置時に接続して組み立てる敷居用柱一式と、
角部用柱を接続可能に複数本に分割して前記スーツケースに収納できる長さに形成し、前記茶室の設置時に接続して組み立てる角部用柱一式と、
鴨居用柱を接続可能に複数本に分割して前記スーツケースに収納できる長さに形成し、前記茶室の設置時に接続して組み立てる鴨居用柱一式と、
組み立てた前記鴨居用柱に取り付ける折畳み式の簾壁と、
組み立てた前記鴨居用柱に取り付ける折畳み式の垂れ壁と、
前記茶室の床面に敷き詰める複数枚の敷物と、
前記茶室に配設して使用し、前記スーツケースに収納できる大きさの茶室道具とから少なくともなること
を特徴とする組立式茶室セット。
【請求項２】
前記鴨居用柱には、磁石を収納するための収納部が形成され、
前記簾壁及び前記垂れ壁の上部には、前記収納部内の前記磁石に磁着させるための金属材が設けられ、
前記茶室の設置時には、前記金属材を前記収納部内の前記磁石に磁着させて、前記簾壁及び前記垂れ壁を前記鴨居用柱にワンタッチで取り付けられる構造であること
を特徴とする請求項１に記載の組立式茶室セット。
【請求項３】
前記敷物は、畳、ござ、又はフローリングであること
を特徴とする請求項１に記載の組立式茶室セット。
【請求項４】
前記茶室道具は、床の間を表す床板、お盆を表す盆板、前記茶室の内側と外側とを仕切る折畳み可能な結界、前記茶室を設置する床面に敷く敷布、携帯用正座椅子、又は風呂敷であること
を特徴とする請求項１に記載の組立式茶室セット。
【発明の詳細な説明】
【技術分野】
【０００１】
本発明は、スーツケースに収納して持ち運びが可能であり、任意の場所で組み立てて茶室を設置することができる組立式茶室セットに関するものである。
【背景技術】
【０００２】
従来、移動が可能な茶室としては、次のような構成の移動式茶室が知られている。この移動式茶室は、トラックの荷台に積載可能な広さの土台と、土台の上方に立ち上げられて室内空間を仕切る壁体と、壁体に設けられる出入口と、壁体の上方に設けられる山形状の屋根とからなり、屋根の庇を壁体に沿って垂下した状態に折り畳める構成である（特許文献１参照）。
【０００３】
このような構成の移動式茶室は、トラックの荷台に載せて運搬し、目的の場所に着いたら、茶室を人力で押して土台の下部に設けたキャスターを転がし、茶室を荷台から下ろして任意の場所に設置できる。
【先行技術文献】
【特許文献】
【０００４】
【特許文献１】特許第４８４７２７４号公報
【発明の概要】
【発明が解決しようとする課題】
【０００５】
この従来例の移動式茶室においては、トラックの荷台に載せて運搬し、設置場所では人力で茶室を押して荷台から下ろす作業を行うので、運搬作業や設置作業が大掛かりであって、茶室の移動が簡単に短時間でできないという問題点を有している。
【０００６】
特に、茶室をトラックの荷台に載せて運搬するので、飛行機に載せて海外に茶室を移動することが実質的に困難であり、その結果、茶室を伴った日本の茶道の文化を海外に容易に紹介できないという問題点を有している。
【０００７】
従って、従来例における移動式茶室においては、茶室の移動作業や設置作業を簡単に短時間で行えるようにすることと、特に、飛行機での移動を可能にして、茶室を伴った日本の茶道の文化を海外に容易に紹介できるようにすることとに解決しなければならない課題を有している。
【課題を解決するための手段】
【０００８】
前記従来例の課題を解決するための本発明の要旨は、スーツケースに収納して持ち運びが可能であり、任意の場所で組み立てて茶室を設置することができる組立式茶室セットであって、該組立式茶室セットは、敷居用柱を接続可能に複数本に分割して前記スーツケースに収納できる長さに形成し、前記茶室の設置時に接続して組み立てる敷居用柱一式と、角部用柱を接続可能に複数本に分割して前記スーツケースに収納できる長さに形成し、前記茶室の設置時に接続して組み立てる角部用柱一式と、鴨居用柱を接続可能に複数本に分割して前記スーツケースに収納できる長さに形成し、前記茶室の設置時に接続して組み立てる鴨居用柱一式と、組み立てた前記鴨居用柱に取り付ける折畳み式の簾壁と、組み立てた前記鴨居用柱に取り付ける折畳み式の垂れ壁と、前記茶室の床面に敷き詰める複数枚の敷物と、前記茶室に配設して使用し、前記スーツケースに収納できる大きさの茶室道具とから少なくともなることである。
【０００９】
また、前記鴨居用柱には、磁石を収納するための収納部が形成され、前記簾壁及び前記垂れ壁の上部には、前記収納部内の前記磁石に磁着させるための金属材が設けられ、前記茶室の設置時には、前記金属材を前記収納部内の前記磁石に磁着させて、前記簾壁及び前記垂れ壁を前記鴨居用柱にワンタッチで取り付けられる構造であること、；
前記敷物は、畳、ござ、又はフローリングであること、；
前記茶室道具は、床の間を表す床板、お盆を表す盆板、前記茶室の内側と外側とを仕切る折畳み可能な結界、前記茶室を設置する床面に敷く敷布、携帯用正座椅子、又は風呂敷であること、；
を含むものである。
【発明の効果】
【００１０】
本発明に係る組立式茶室セットによれば、スーツケースの中に、茶室を構成する様々な部材や道具類をコンパクトに収納して、持ち運びを可能にし、任意の場所で組み立てて茶室を容易に設置することができる。
つまり、茶室の組み立てや設置が極めて簡単に短時間で行えるだけでなく、特にスーツケースを持って飛行機での移動が可能なので、茶室を伴った日本の茶道の文化を海外に容易に紹介できることとなる。
具体的な例を上げれば、幅が約８２０ｍｍ、奥行きが約４８０ｍｍ、高さが約２６０ｍｍ程度の大きさのスーツケースの中に、各種の柱一式、簾壁、垂れ壁（和紙壁）、畳、結界等々の、謂わば日本の匠の技を凝縮して収納し、それを世界中どこへでも持ち運べるので、日本の伝統文化の発信が容易に行えるという優れた効果を奏する。
【００１１】
鴨居用柱には、磁石を収納するための収納部が形成され、簾壁及び垂れ壁の上部には、収納部内の磁石に磁着させるための金属材が設けられ、茶室の設置時には、金属材を収納部内の磁石に磁着させて、簾壁及び垂れ壁を鴨居用柱にワンタッチで取り付けられる構造であることによって、茶室の組み立てが極めて短時間でかつ簡単に行える。
禅の修行では、お線香一本の燃え尽きる時間が一単位と言われており、その時間内、例えば１５分程度の時間内での茶室の組み立てにこだわるならば、磁石に金属材を磁着させるだけで、簾壁及び垂れ壁を鴨居用柱に簡単に取り付けることができるので、茶室の組み立ての迅速化に寄与できることとなる。
さらに、海外では磁石の持ち込みを認めない国が存在するので、鴨居用柱と磁石とを分離可能にして別々に持ち運び、茶室の設置時に収納部へ磁石を収納する手順にしておくことで、鴨居用柱自体の持ち込みの不認可を事前に回避することができるという種々の優れた効果を奏する。
【００１２】
敷物は、畳、ござ、又はフローリングであることによって、これらをスーツケースに収納して、日本の伝統文化を世界中に発信できるという優れた効果を奏する。
【００１３】
茶室道具は、床の間を表す床板、お盆を表す盆板、前記茶室の内側と外側とを仕切る折畳み可能な結界、前記茶室を設置する床面に敷く敷布、携帯用正座椅子、又は風呂敷であることによって、様々な匠の技をスーツケースに収納して、日本の伝統文化を世界中に発信できるという優れた効果を奏する。
【図面の簡単な説明】
【００１４】
【図１】本発明に係る組立式茶室セットを示す斜視図である。
【図２】本発明に係る組立式茶室セットをスーツケースに収納した状態を示す斜視図である。
【図３】茶室を組み立てて設置した状態を示す斜視図である。
【図４】敷居用柱の接続部分の構造を説明する斜視図である。
【図５】鴨居用柱の収納部を説明する斜視図である。
【図６】敷居用柱の端部同士と角部用柱の下端部との接続部分の構造を説明する斜視図である。
【図７】敷居用柱の端部同士と角部用柱の下端部との接続部分を示す斜視図である。
【図８】スーツケースの内部の収納状態を説明する平面図である。
【図９】スーツケースの内部の収納状態を説明する正面図である。
【図１０】スーツケースの内部の収納状態を説明する側面図である。
【発明を実施するための形態】
【００１５】
次に、本発明の実施の形態について図面を参照しながら説明する。まず、図１から図３において、符号１１は組立式茶室セットを示し、この組立式茶室セット１１は、敷居用柱１２を２本に分割してスーツケース１３に収納できる長さに形成した敷居用柱一式１４と、角部用柱１５を２本に分割してスーツケース１３に収納できる長さに形成した角部用柱一式１６と、鴨居用柱１７を２本に分割してスーツケース１３に収納できる長さに形成した鴨居用柱一式１８と、組み立てた鴨居用柱１７に取り付ける簾壁１９と、組み立てた鴨居用柱１７に取り付ける垂れ壁２０と、茶室２１の床面に敷き詰める敷物２２と、茶室２１に配設して使用しスーツケース１３に収納できる大きさの茶室道具とから構成される。
【００１６】
敷居用柱１２は、全長が約１５１０ｍｍ程度である。この敷居用柱１２を接続可能に２本に分割して、分割した１本の柱の長さは約８００ｍｍ程度である。
分割した柱同士の接続部分の構造は、図４に示すように、ほぞ２３、ほぞ溝２４、凸部３２、凹部３３が形成され、その接続部分同士をほぞ組みの要領で組み合わせて、隙間に楔２５を打ち込んで、１本の敷居用柱１２を形成する。
なお、敷居用柱１２を２本に分割した例を説明したが、場合によっては３本以上に分割してもよいことは勿論である。
【００１７】
敷居用柱一式１４は、２本に分割した敷居用柱１２が、茶室２１の手前側と奥側と左右両側との４ヶ所分であり、即ち、８本（２本×４ヶ所＝８本）の柱で敷居用柱一式１４が構成される（図１参照）。
【００１８】
角部用柱１５は、全長が約１５１０ｍｍ程度である。この角部用柱１５を接続可能に２本に分割して、分割した１本の柱の長さは約８００ｍｍ程度である。
分割した柱同士の接続部分の構造は、上述した図４に示す敷居用柱１２の場合と同様な構造なので、詳細は省略する。
なお、角部用柱１５を２本に分割した例を説明したが、場合によっては３本以上に分割してもよいことは勿論である。
【００１９】
角部用柱一式１６は、２本に分割した角部用柱１５が、茶室２１の４隅分であり、即ち、８本（２本×４隅＝８本）の柱で角部用柱一式１６が構成される（図１参照）。
【００２０】
鴨居用柱１７は、全長が約１５１０ｍｍ程度である。この鴨居用柱１７を接続可能に２本に分割して、分割した１本の柱の長さは約８００ｍｍ程度である。
分割した柱同士の接続部分の構造は、上述した図４に示す敷居用柱１２の場合と同様な構造なので、詳細は省略する。
なお、鴨居用柱１７を２本に分割した例を説明したが、場合によっては３本以上に分割してもよいことは勿論である。
【００２１】
鴨居用柱一式１８は、２本に分割した鴨居用柱１７が、茶室２１の手前側と奥側と左右両側とで４ヶ所分であり、即ち、８本（２本×４ヶ所＝８本）の柱で鴨居用柱一式１８が構成される（図１参照）。
【００２２】
鴨居用柱１７の途中には、図５に示すように、収納部２６が形成される。収納部２６は、凹部２６ａと、凹部２６ａを施蓋する開閉蓋２６ｂとからなり、この中には、図示しない磁石が収納される。開閉蓋２６ｂには、図示しない係止具を取り付けることができる長穴２６ｃが形成されている。
【００２３】
次に、茶室２１の下側の４ヶ所の隅部２７の接続部分、即ち、敷居用柱１２の端部同士と角部用柱１５の下端部との接続部分の構造について説明する。
図６に示すように、敷居用柱１２の端部には、鈎状のほぞ２８とほぞ溝２９とが形成される。また、角部用柱１５の下端部には、３本の柱状の突起３０が形成される。
そして、敷居用柱１２のほぞ２８とほぞ溝２９同士を組み合わせ、組み合わせた隙間部分に、上から角部用柱１５の突起３０を挿入して、隅部２７が形成される（図７参照）。
【００２４】
また、茶室２１の上側の４ヶ所の隅部３１の接続部分、即ち、敷居用柱１２の端部同士と角部用柱１５の上端部との接続部分の構造については、上述した図６に示す隅部２７の接続部分の構造と上下方向が逆になって、その他は同様な構造なので、詳細は省略する。
【００２５】
簾壁１９は、折畳み式であり（図１参照）、幅が約７００ｍｍ程度である。また、簾壁１９を拡げた上下方向の長さは約１４２０ｍｍ程度である（図３参照）。簾壁１９の上部には、金属材が埋め込まれている（図示せず）。
このような形状の簾壁１９がスーツケース１３の中に２本に収納され、茶室２１の設置時には、金属材を収納部２６内の磁石に磁着させて、簾壁１９を鴨居用柱１７にワンタッチで取り付けられる構造である。
そして、図３に示すように、１本の鴨居用柱１７に対して、２本の簾壁１９を隣接した状態で取り付ける。
簾壁１９の材質は、従来使用されている葦材や竹材だけでなく、紙材、木材、合成樹脂材等であってもよい。
【００２６】
垂れ壁（和紙壁）２０は、折畳み可能であり（図１参照）、和紙製であることが望ましく、幅が約７００ｍｍ程度である。また、垂れ壁２０を拡げた上下方向の長さは約１４２０ｍｍ程度である（図３参照）。垂れ壁２０の上部には、金属材が埋め込まれている（図示せず）。
このような形状の垂れ壁２０がスーツケース１３の中に２枚に収納され、茶室２１の設置時には、金属材を収納部２６内の磁石に磁着させて、垂れ壁２０を鴨居用柱１７にワンタッチで取り付けられる構造である。
そして、図３に示すように、１本の鴨居用柱１７に対して、２枚の垂れ壁２０を隣接した状態で取り付ける。
垂れ壁２０の材質は、上述の和紙材だけでなく、その他の紙材、木材、合成樹脂材等であってもよい。
【００２７】
敷物２２は、畳、ござ、又はフローリング等であって、一辺の長さが約３５０ｍｍ程度の正方形状を呈し、厚さは約１０ｍｍ程度である（図１参照）。
このような形状の敷物２２がスーツケース１３の中に１６〜１８枚収納され、茶室２１の床面や、前面に敷いて使用される（図３参照）。
【００２８】
茶室道具は、茶室２１に配設して使用し、スーツケース１３に収納できる大きさの様々な道具類である。
茶室道具を具体的に示すならば、図３に示す、床の間を表す床板３４、お盆を表す盆板３５、茶室２１の内側と外側とを仕切る折畳み可能な結界３６、茶室２１を設置する床面に敷く敷布３７である。また、図示はしないが、携帯用正座椅子や風呂敷等であってもよい。
スーツケース１３の中には、茶事に際して身につけるティードレス３８や着物等を収納してもよい。
【００２９】
次に、以上のような構成の組立式茶室セット１１を収納するスーツケース１３と、その収納状態の一例を説明する。
【００３０】
スーツケース１３は、図１及び図２に示すように、直方体状に形成されて、本体部１３ａと、ヒンジ部を介して開閉する蓋部１３ｂとを備える。スーツケース１３の大きさの一例を上げれば、幅が約８２０ｍｍ、奥行きが約４８０ｍｍ、高さが約２６０ｍｍ程度である。
【００３１】
組立式茶室セット１１をスーツケース１３に収納した状態を説明する。図９に示すように、スーツケース１３の奥側から、敷物２２、床板３４、盆板３５、鴨居用柱一式１８、角部用柱一式１６、敷居用柱一式１４が順番に収納される。つまり、茶室２１を設置するときに、組み立ての順番が先の部材が手前側に、組み立ての順番が後の部材が奥側になるように収納される。茶室の組み立てを迅速化するためである。
また、スーツケース１３の側部には、図１０に示すように、折り畳んだ垂れ壁２０、折り畳んだ簾壁１９、折り畳んだ敷布３７、及び折り畳んだ結界３６が収納される。
【００３２】
以上のように構成される組立式茶室セット１１は、スーツケース１３の中に、茶室２１を構成する様々な部材や道具類をコンパクトに収納して、持ち運びを可能にし、任意の場所で組み立てて茶室２１を設置することができる。
【００３３】
そして、茶室２１の組み立てや設置が極めて簡単に短時間で行えるだけでなく、特にスーツケース１３を持って飛行機での移動が可能なので、茶室２１を伴った日本の茶道の文化を海外に容易に紹介できることとなる。
【００３４】
具体的には、スーツケース１３の中に、敷居用柱一式１４、角部用柱一式１６、鴨居用柱一式１８、簾壁１９、垂れ壁２０、敷物２２、結界３６等々の、謂わば日本の匠の技を凝縮して収納して、それを世界中どこへでも持ち運べるので、日本の伝統文化の発信が容易に行える。
【００３５】
また、鴨居用柱１７には、磁石を収納するための収納部２６が形成され、簾壁１９及び垂れ壁２０の上部には、収納部２６内の磁石に磁着させるための金属材が設けられ、茶室２１の設置時には、金属材を収納部２６内の磁石に磁着させて、簾壁１９及び垂れ壁２０を鴨居用柱１７にワンタッチで取り付けられる構造であることによって、茶室２１の組み立てが極めて短時間でかつ簡単に行える。
【００３６】
禅の修行では、お線香一本の燃え尽きる時間が一単位と言われており、その時間内、例えば１５分程度の時間内での茶室２１の組み立てにこだわるならば、磁石に金属材を磁着させるだけで、簾壁１９及び垂れ壁２０を鴨居用柱１７に簡単に取り付けることができるので、茶室２１の組み立ての迅速化に寄与できる。
【００３７】
さらに、海外では磁石の持ち込みを認めない国が存在するので、鴨居用柱１７と磁石とを分離可能にして別々に持ち運び、茶室２１の設置時に収納部２６へ磁石を収納する手順にしておくことで、鴨居用柱１７自体の持ち込みの不認可を事前に回避できる。
【符号の説明】
【００３８】
１１  組立式茶室セット
１２  敷居用柱
１３  スーツケース
１３ａ本体部
１３ｂ蓋部
１４  敷居用柱一式
１５  角部用柱
１６  角部用柱一式
１７  鴨居用柱
１８  鴨居用柱一式
１９  簾壁
２０  垂れ壁（和紙壁）
２１  茶室
２２  敷物
２３  ほぞ
２４  ほぞ溝
２５  楔
２６  収納部
２６ａ凹部
２６ｂ開閉蓋
２６ｃ長穴
２７  隅部
２８  ほぞ
２９  ほぞ溝
３０  突起
３１  隅部
３２  凸部
３３  凹部
３４  床板
３５  盆板
３６  結界
３７  敷布
３８  ティードレス
【図１】
2019049164.tif 000003
【図２】
2019049164.tif 000004
【図３】
2019049164.tif 000005
【図４】
2019049164.tif 000006
【図５】
2019049164.tif 000007
【図６】
2019049164.tif 000008
【図７】
2019049164.tif 000009
【図８】
2019049164.tif 000010
【図９】
2019049164.tif 000011
【図１０】
2019049164.tif 000012